(57)【要約】【課題】洗浄を良好に行うことができる三方流路ポート及び透析装置を提供する。【解決手段】補液ポート１１は、入口流路Ｃ１と出口流路Ｃ２との他に分岐流路Ｃ３を有し、入口流路Ｃ１と出口流路Ｃ２とを連絡する連絡領域Ｒの少なくも一部を仕切り、入口流路Ｃ１から出口流路Ｃ２に至る液体の少なくとも一部を、分岐流路Ｃ３内を通る迂回路Ｃ４に導く規制部材３５を備える。【選択図】図３
2012205683.tif 000002
【特許請求の範囲】
【請求項１】
入口流路と出口流路との他に分岐流路を有する三方流路ポートであって、
前記入口流路と前記出口流路とを連絡する連絡領域の少なくも一部を仕切り、前記入口流路から前記出口流路に至る液体の少なくとも一部を、前記分岐流路内を通る迂回路に導く規制部材を備えることを特徴とする三方流路ポート。
【請求項２】
前記規制部材は、前記連絡領域内に進入する進入方向と前記連絡領域内から退出する退出方向とに移動可能に設けられ、前記連絡領域内に進入して液体を前記迂回路に導き、
前記分岐流路に連通する開口部に取り付けられるキャップと、
前記キャップに設けられ、前記規制部材を前記進入方向に押圧する押圧部と、
前記規制部材を前記退出方向に付勢する弾性体と、
前記規制部材と前記弾性体とに挟まれ、前記弾性体の付勢により撓むことで、前記入口流路から前記迂回路を通ることなく前記出口流路に至る前記液体の流量を増大させる面状の弁体と、を更に備え、
前記規制部材は、前記キャップが前記開口部に取り付けられているときには、前記押圧部に押圧され、且つ前記弁体に当接して前記弁体の撓みを解消すると共に、前記キャップが前記開口部に取り付けられていないときには、前記弾性体の付勢による前記弁体の撓みを許容することを特徴とする請求項１記載の三方流路ポート。
【請求項３】
前記規制部材は、移動に伴って前記開口部を開閉する開閉弁を有し、
前記開閉弁は、前記キャップが前記開口部に取り付けられているときに、前記押圧部に押圧されることで前記開口部を開放し、前記キャップが前記開口に取り付けられていないときに、前記弾性体の付勢により前記開口部を閉鎖することを特徴とする請求項２記載の三方流路ポート。
【請求項４】
前記規制部材は、
前記連絡領域の少なくも一部を仕切り、前記液体の少なくとも一部を前記迂回路に導く隔壁部と、
前記隔壁部から張り出す張出部と、
を備えることを特徴とする請求項１〜３のいずれか一項記載の三方流路ポート。
【請求項５】
前記隔壁部及び前記張出部は、前記キャップが前記開口部に取り付けられているときに、その両方が前記弁体に当接することを特徴とする請求項４記載の三方流路ポート。
【請求項６】
前記張出部は、前記液体の流入方向に対して前記分岐流路側に傾斜する傾斜面を有していることを特徴とする請求項５記載の三方流路ポート。
【請求項７】
前記隔壁部には、前記入口流路と前記出口流路とを連絡する切欠部が設けられていることを特徴とする請求項４〜６のいずれか一項記載の三方流路ポート。
【請求項８】
請求項１〜７のいずれか一項に記載の三方流路ポートと、
血漿を分離する血漿分離器と、
を備えた透析装置。
【発明の詳細な説明】
【技術分野】
【０００１】
本発明は、三方流路ポート及びこれを備える透析装置に関する。
【背景技術】
【０００２】
従来、三方流路ポートとして、例えば特許文献１に記載されているものが知られている。この特許文献１に記載の三方流路ポートは、透析液のサンプリングポートであり、透析液流入流路と、透析液流出流路と、透析液流入流路及び透析液流出流路から分岐する透析液サンプリング流路と、透析液サンプリング流路に連通する開口を開閉するキャップと、透析液サンプリング流路への透析液の流入を制御する弁体とを備えている。このサンプリングポートでは、キャップが閉められたときに、弁体が押圧されることにより透析液サンプリング流路への流通口が開いて透析液サンプリング流路に透析液が流入し、キャップが開けられたときに、弁体がばねにより押圧されて流通口が閉じて透析液サンプリング流路への透析液の進入が阻止される構成となっている。
【０００３】
サンプリングポートでは、洗浄液あるいは消毒液を流路に流通させて洗浄を行う。上記サンプリングポートでは、洗浄を行う際、透析液流入流路から流入した洗浄液のうちの一部は、透析液流出流路へと流動して排出され、残りの洗浄液は、透析液サンプリング流路へ流入する。透析液サンプリング流路に流入した洗浄液は、キャップ内に設けられた流出路と、これに接続された逆止弁の介在する流出管路を経由してサンプリングポートの外へと排出される。
【先行技術文献】
【特許文献】
【０００４】
【特許文献１】特許第４３５２３６８号公報
【発明の概要】
【発明が解決しようとする課題】
【０００５】
しかしながら、上記従来のサンプリングポートにあっては、キャップ内に流出路を設けているため、構成が複雑化すると共にコストが増大するといった問題があった。キャップに流出路を設けなくとも洗浄は可能であるが、透析液サンプリング流路の上部に空気溜まり（空気層）が発生し、この空気溜まりにより洗浄液がサンプリング流路の端部まで行き届かず完全な洗浄ができないといった問題が生じる。
【０００６】
本発明は、上記課題を解決するためになされたものであり、洗浄を良好に行うことができる三方流路ポート及びこれを備える透析装置を提供することを目的とする。
【課題を解決するための手段】
【０００７】
上記課題を解決するために、本発明に係る三方流路ポートは、入口流路と出口流路との他に分岐流路を有する三方流路ポートであって、入口流路と出口流路とを連絡する連絡領域の少なくも一部を仕切り、入口流路から出口流路に至る液体の少なくとも一部を、分岐流路内を通る迂回路に導く規制部材を備えることを特徴とする。
【０００８】
この三方流路ポートでは、入口流路と出口流路とを連絡する連絡領域の少なくも一部を仕切る規制部材によって、入口流路から出口流路に至る液体の少なくとも一部を、分岐流路内を通る迂回路に導かせている。そのため、例えばサンプリング流路となる分岐流路内に常に液流を発生させることができる。したがって、分岐流路に空気溜まりが発生しないため、洗浄を行う際、洗浄液を入口流路、出口流路、分岐流路のいずれにも行き届かせることができる。その結果、洗浄を良好に行うことができる。
【０００９】
さらに、規制部材は、連絡領域内に進入する進入方向と連絡領域内から退出する退出方向とに移動可能に設けられ、連絡領域内に進入して液体を迂回路に導く。そして、三方流路ポートは、分岐流路に連通する開口部に取り付けられるキャップと、キャップに設けられ、規制部材を進入方向に押圧する押圧部と、規制部材を退出方向に付勢する弾性体と、規制部材と弾性体とに挟まれ、弾性体の付勢により撓むことで、入口流路から迂回路を通ることなく出口流路に至る液体の流量を増大させる面状の弁体と、を更に備え、規制部材は、キャップが開口部に取り付けられているときには、押圧部に押圧され、且つ弁体に当接して弁体の撓みを解消すると共に、キャップが開口部に取り付けられていないときには、弾性体の付勢による弁体の撓みを許容すると好適である。
【００１０】
さらに、規制部材は、移動に伴って開口部を開閉する開閉弁を有し、開閉弁は、キャップが開口部に取り付けられているときに、押圧部に押圧されることで開口部を開放し、キャップが開口に取り付けられていないときに、弾性体の付勢により開口部を閉鎖することが好ましい。このような構成によれば、例えば分岐流路にサンプリング手段のシリンジなどを取り付けるためにキャップを外したときに、分岐流路内の液体が開口部から流出することを防止できる。
【００１１】
規制部材は、連絡領域の少なくも一部を仕切り、液体の少なくとも一部を迂回路に導く隔壁部と、隔壁部から張り出す張出部と、備えて構成されている。更に、隔壁部及び張出部は、キャップが開口部に取り付けられているときに、その両方が弁体に当接する構成とすることができる。このような構成によれば、隔壁部及び張出部が弁体に対して均等に力を加えることができる。したがって、規制部材がキャップの押圧部に押圧された際、その力を弁体に均等に伝えることができる。
【００１２】
張出部は、液体の流入方向に対して分岐流路側に傾斜する傾斜面を有していることが好ましい。このような構成によれば、入口流路から流入した液体に傾斜面によって上昇流を発生させることができるため、液体を迂回路側に良好に導くことができる。
【００１３】
隔壁部には、入口流路と出口流路とを連絡する切欠部が設けられていることが好ましい。このような構成によれば、入口流路から出口流路に至る液体の流路を確保することができる。そのため、規制部材によって液体の流れに淀みが生じることを抑制できる。
【００１４】
また、本発明に係る透析装置は、上述のいずれかの三方流路ポートと、血漿を分離する血漿分離器と、を備えることを特徴とする。
【発明の効果】
【００１５】
本発明によれば、三方流路ポートの洗浄を良好に行うことができる。
【図面の簡単な説明】
【００１６】
【図１】第１実施形態に係る補液ポートを含んで構成された透析装置の概略を示す図である。
【図２】補液ポートを示す斜視図である。
【図３】図２に示す補液ポートの正面図である。
【図４】図３における縦断面図である。
【図５】図２に示す補液ポートを横から見た図である。
【図６】図５における横断面図である。
【図７】図１に示す補液ポートの規制部材を示す斜視図である。
【図８】補液ポートの動作を説明するための図である。
【図９】補液ポートの洗浄工程を示す概略図である。
【図１０】第２実施形態に係る補液ポートを示す斜視図である。
【図１１】図１０示す補液ポートの正面図である。
【図１２】図１１における縦断面図である。
【図１３】図１０に示す補液ポートの規制部材を示す斜視図である。
【図１４】第３実施形態に係るサンプルポートを含んで構成された透析装置の概略を示す図である。
【図１５】他の形態の規制部材を示す斜視図である。
【図１６】他の形態の規制部材を示す斜視図である。
【発明を実施するための形態】
【００１７】
以下、添付図面を参照して、本発明の好適な実施形態について詳細に説明する。なお、図面の説明において同一又は相当要素には同一符号を付し、重複する説明は省略する。
【００１８】
［第１実施形態］
最初に、本発明に係る三方流路ポートを補液ポートに適用する場合について説明する。図１は、第１実施形態に係る補液ポートを含んで構成された透析装置の概略を示す図である。
【００１９】
図１に示すように、透析装置１は、被検体から取り出した血液を脱血側回路２を通してダイアライザー（血漿分離器）３に送液し、ダイアライザー３を通過した血液を返血側回路４を通して被検体に返血する血液回路５と、血液回路５内の血液を送液させるポンプ６と、ダイアライザー３の上流側に設けられた動脈側エアトラップチャンバ７と、ダイアライザー３の下流側に設けられた静脈側エアトラップチャンバ８と、ダイアライザー３でろ過された血漿成分を送液する血漿回路９と、ダイアライザー３に補液を送液する補液回路１０に接続された補液ポート１１と、補液ポート１１に接続されると共に、ダイアライザー３と静脈側エアトラップチャンバ８との間に接続される希釈回路１２とを備えている。このような構成により、透析装置１では、後希釈によるろ過透析が行われる。
【００２０】
続いて、補液ポート１１について、図２〜図６を参照して詳細に説明する。図２は、補液ポートを示す斜視図、図３は、図２に示す補液ポートの正面図、図４は、図３における縦断面図である。また、図５は、図２に示す補液ポートを横から見た図、図６は、図５における横断面図である。なお、以下の説明においては、図２に示す補液ポート１１の状態において、「上」、「下」を規定する。また、図において、説明の便宜上、外装部分を二点鎖線、内装部分を実線にて示している部分がある。
【００２１】
各図に示すように、補液ポート１１は、ハウジング２０と、流入管２１と、流出管２２と、上側キャップ２３と、下側キャップ２４とを備えている。
【００２２】
ハウジング２０は、正面視において略凸形状を呈しており、内部に空間が形成された中空の部材である。ハウジング２０は、円筒状の本体部２０ａと、この本体部２０ａの上部に設けられ、本体部２０ａよりも小径の小径部２０ｂとから構成されている。本体部２０ａには、第１の内周面２５により内部空間Ｓ１、第２の内周面２６により内部空間Ｓ２が形成されている。第１の内周面２５の径は、第２の内周面２６の径よりも小さい。本体部２０ａ及び小径部２０ｂに亘って形成される第３の内周面２７は、内部空間Ｓ３を形成している。ハウジング２０は、例えばアクリル等の樹脂から形成されている。
【００２３】
本体部２０ａの側部からは、流入管２１及び流出管２２が突出している。流入管２１及び流出管２２は、その内部が内部空間Ｓ１と連通するように設けられており、中心軸が同一直線上となるように配置されている。本体部２０ａと流入管２１及び流出管２２とは、一体成型されている。流入管２１は、液体の入口流路Ｃ１を形成しており、流出管２２は、液体の出口流路Ｃ２を形成している。このような構成により、本体部２０ａの内部空間Ｓ１は、入口流路Ｃ１及び出口流路Ｃ２を連絡する連絡領域Ｒを形成している。
【００２４】
本体部２０ａの下部には、下側キャップ２４が取り付けられている。下側キャップ２４には、底部２４ａから上方に突出する円筒状の突出部２４ｂが設けられている。突出部２４ｂは、本体部２０ａの第２の内周面２６の径と略同等の外径を有しており、第２の内周面２６に沿って内部空間Ｓ２に挿入されている。そして、本体部２０ａの底部には、ねじ３０が螺合されるねじ孔３０ａが複数（ここでは３つ）形成されており、下側キャップ２４がねじ３０によって本体部２０ａに結合されている。
【００２５】
下側キャップ２４の底部２４ａには、突出部２４ｂの内側に、突出部２４ｂの内径よりも小径の円形状の凹部２４ｃが形成されている。凹部２４ｃには、ばね（弾性体）３１が載置されている。また、下側キャップ２４の突出部２４ｂの内側には、ばね３１を覆うように収容する収容空間Ｓ４が形成されたばね収容部３２が配置されている。ばね収容部３２には、上面から上方に突設された凸部３２ａが設けられている。凸部３２ａは、円柱形状を呈しており、ばね収容部３２の上面の中央部に配置されている。ばね３１は、下側キャップ２４の底部２４ａの凹部２４ｃとばね収容部３２との間において、圧縮された状態で保持されている。
【００２６】
突出部２４ｂの頂部には、面状の弁体３３が載置されている。弁体３３は、円形状を呈しており、柔軟性を有する例えばゴム等の樹脂から形成されている。弁体３３は、ばね３１の付勢により撓むことで液体の第３の流れＦ３（図８（ｂ）参照）を形成し、入口流路Ｃ１から出口流路Ｃ２に至る液体の流量を増大させる。弁体３３は、本体部２０ａの第２の内周面２６の径と略同等の外径を有している。弁体３３は、本体部２０ａの第１の内周面２５と第２の内周面２６との間の段差部３４と下側キャップ２４の突出部２４ｂの頂部との間に挟持されている。
【００２７】
弁体３３の下面は、ばね収容部３２の凸部３２ａと当接している。これにより、弁体３３には、ばね収容部３２の凸部３２ａを介して、ばね３１より下方側から押し上げる方向（ばね３１が伸びる方向）に付勢されている。
【００２８】
本体部２０ａと小径部２０ｂとに亘って形成された第３の内周面２７により形成される内部空間Ｓ３は、連絡領域Ｒに連通する分岐流路Ｃ３を形成している。分岐流路Ｃ３は、入口流路Ｃ１と出口流路Ｃ２との他に設けられた流路であり、入口流路Ｃ１と出口流路Ｃ２との間に設けられている。分岐流路Ｃ３は、入口流路Ｃ１及び出口流路Ｃ２の延在方向に対して、直交する方向に延在する流路である。小径部２０ｂの上部には、この小径部２０ｂよりも小径の円筒状のねじ部２０ｃが形成されている。このねじ部２０ｃには、上側キャップ２３が螺着される。ねじ部２０ｃには、開口部２０ｄ（図８参照）が形成されている。開口部２０ｄは、分岐流路Ｃ３に連通している。
【００２９】
上側キャップ２３は、ハウジング２０に脱着可能に取り付けられている。上側キャップ２３は、ハウジング２０の小径部２０ｂの上部に形成されたねじ部２０ｃによりハウジング２０に螺着されている。上側キャップ２３の内部には、その中央部分にピン（押圧部）２３ａが設けられている。図４及び図６に示すように、ピン２３ａは、上側キャップ２３の開口側に延びており、上側キャップ２３がねじ部２０ｃに螺着された状態において、後述する規制部材３５のロッド３５ｈと当接する長さを有している。より具体的には、ピン２３ａは、規制部材３５のロッド３５ｈと当接して規制部材３５が弁体３３を押圧しているときに、弁体３３が平坦な状態（撓んでいない状態）を維持する長さに設定されている。
【００３０】
ハウジング２０内には、規制部材３５が配置されている。規制部材３５は、弁体３３上に載置されており、上側キャップ２３がハウジング２０に螺着されているときに、弁体３３を押圧する。規制部材３５は、入口流路Ｃ１と出口流路Ｃ２とを連絡する連絡領域Ｒの少なくも一部を仕切り、入口流路Ｃ１から出口流路Ｃ２に至る液体の少なくとも一部を、分岐流路Ｃ３内を通る迂回路Ｃ４（図８参照）及びねじ部２０ｃの内周面（上側キャップ２３のピン２３ａが位置する部分）に導く部材である。規制部材３５は、分岐流路Ｃ３内で、分岐流路Ｃ３に沿って上下方向に移動可能であり、本実施形態では、便宜上、連絡領域Ｒ内に進入する進入方向が下方であり、連絡領域Ｒ内から退出する退出方向が上方になっている。
【００３１】
図７は、規制部材を示す斜視図である。図７に示すように、規制部材３５は、板状の隔壁部３５ａと、この隔壁部３５ａと直交する方向に張り出す板状の張出部３５ｂ，３５ｃと、隔壁部３５ａの上部に設けられた弁体支持部３５ｄとを有している。隔壁部３５ａと張出部３５ｂ，３５ｃとは、上面視において十字状を呈している。
【００３２】
隔壁部３５ａは、入口流路Ｃ１から出口流路Ｃ２に至る液体を、分岐流路Ｃ３内を通る迂回路Ｃ４及びねじ部２０ｃの内周面に導く部分である。より具体的には、隔壁部３５ａは、入口流路Ｃ１を通過して連絡領域Ｒに入り込んだ液体の流れに干渉し、その液体の一部に上昇流を発生させて、液体を分岐流路Ｃ３内の迂回路Ｃ４及びねじ部２０ｃの内周面に導くと共に、連絡領域Ｒに入り込んだ液体の一部を出口流路Ｃ２に流す。隔壁部３５ａは、略長方形状を呈する板状部材である。図６に示すように、隔壁部３５ａの長辺の長さは、本体部２０ａの内径と略同等となっている。隔壁部３５ａの短辺の長さ（高さ）は、第１の内周面２５の高さよりも短くなっている。つまり、隔壁部３５ａの短辺の長さは、弁体３３と、第１の内周面２５と第３の内周面２７との間の段差部３６との間の寸法よりも短い。これにより隔壁部３５ａは、内部空間Ｓ１において上下方向に移動可能となっている。
【００３３】
隔壁部３５ａの両端側の下部には、切欠部３５ｅが形成されている。切欠部３５ｅは、隔壁部３５ａの角部分が三角形状に切り欠かれている。この切欠部３５ｅと本体部２０ａの第１の内周面２５及び弁体３３とによって画成される領域は、流入管２１から流入した液体の一部を流出管２２に流動させる部分であり、後述する液体の第１の流れＦ１を発生させる。切欠部３５ｅは、規制部材３５によって液体に淀み（滞留）が発生することを防止する。
【００３４】
張出部３５ｂ，３５ｃは、隔壁部３５ａの中央部から隔壁部３５ａの厚み方向の外側（面外方向）にそれぞれ延びるように張り出して設けられている。張出部３５ｂ，３５ｃの底面は、隔壁部３５ａの底面と面一となっている。張出部３５ｂ，３５ｃは、隔壁部３５ａから外側に向かうにつれて下り勾配で傾斜している。図４に示すように、張出部３５ｂ，３５ｃの先端は、本体部２０ａの第１の内周面２５まで延びている。
【００３５】
弁体支持部３５ｄには、弁体部（開閉弁）３５ｆが設けられている。弁体部３５ｆは、規制部材３５の移動に伴って開口部２０ｄを開放または閉鎖する。図４及び図６に示すように、弁体支持部３５ｄの上部には凹部３５ｇが形成されており、この凹部３５ｇに弁体部３５ｆが収容（埋設）されている。弁体部３５ｆの上面は、弁体支持部３５ｄの上端面と略面一となっている。弁体支持部３５ｄには、弁体部３５ｆの中央部を貫通するように、ロッド３５ｈが埋設されている。ロッド３５ｈは、棒状の部材であり、上側キャップ２３のピン２３ａと当接する部分である。ロッド３５ｈは、弁体部３５ｆの上面から上方に突出している。ロッド３５ｈにおいて、弁体支持部３５ｄ（弁体部３５ｆ）から突出している部分は、上面視において、板状の部材が三方向に互いに同じ角度（約６０°）を成して延在する形状を呈している。
【００３６】
規制部材３５は、ハウジング２０内において、移動規制部材３７により移動が規制されている。図３に示すように、移動規制部材３７は、棒状の部材であり、段差部３６から下方に突出している。移動規制部材３７は、規制部材３５の隔壁部３５ａに沿うように複数（例えば２本）設けられており、液流により規制部材３５が回転・移動することを抑制している。
【００３７】
次に、上述の構成を有する補液ポート１１の動きについて、図８を参照しながら説明する。図８は、補液ポートの動作を説明するための図である。図８（ａ）に示すように、上側キャップ２３がハウジング２０に装着されている場合には、上側キャップ２３のピン２３ａが規制部材３５のロッド３５ｈに当接して下方に押圧しており、その結果、規制部材３５は弁体３３を下方に押圧している。これにより、ばね３１の付勢によって弁体３３及び規制部材３５が上方に押し上げられる力が抑制され、弁体３３が定常状態、つまり弁体３３に撓みがない平坦な状態（撓みが解消された状態）が維持されている。
【００３８】
上側キャップ２３が装着された補液ポート１１では、液体が流入管２１から流入して入口流路Ｃ１を通り、連絡領域Ｒにおいて規制部材３５の切欠部３５ｅを通過して出口流路Ｃ２に至り流出管２２へと流れる第１の流れＦ１と、液体が流入管２１流入して入口流路Ｃ１を通り、連絡領域Ｒにおいて規制部材３５の隔壁部３５ａにより分岐流路Ｃ３内を通る迂回路Ｃ４に導かれ、迂回路Ｃ４を経て出口流路Ｃ２に至り流出管２２への流れる第２の流れＦ２とが発生している。
【００３９】
また、図８（ｂ）に示すように、上側キャップ２３がハウジング２０から取り外された状態において、規制部材３５は、ばね３１の弾性力により開口部２０ｄを閉鎖し、また、ばね３１の弾性力による弁体３３の撓みを許容する。つまり、この状態では、規制部材３５のロッド３５ｈが下方に押圧されていないため、ばね３１の弾性力によりばね収容部３２を介して弁体３３が押し上げられ、これにより規制部材３５も上方に押し上げられて弁体部３５ｆが小径部２０ｂの上面に当接する。これにより、開口部２０ｄは弁体部３５ｆによって閉鎖される。そのため、分岐流路Ｃ３内の液体が開口部２０ｄから流出することがない。また、弁体３３がばね収容部３２の凸部３２ａに押し上げられることにより、弁体３３が撓み、規制部材３５の隔壁部３５ａの底面と弁体３３との間に隙間が形成される。
【００４０】
上側キャップ２３が取り外された補液ポート１１では、液体が流入管２１から流入して入口流路Ｃ１を通り、連絡領域Ｒにおいて規制部材３５の切欠部３５ｅを通過して出口流路Ｃ２に至り流出管２２へと流れる第１の流れＦ１と、流入管２１に流入して入口流路Ｃ１を通り、連絡領域Ｒにおいて規制部材３５の隔壁部３５ａにより分岐流路Ｃ３に導かれ、規制部材３５の周縁（規制部材３５と第３の内周面２７との隙間）を経て出口流路Ｃ２に至り流出管２２へと流れる液体の第２の流れＦ２と、流入管２１から流入して入口流路Ｃ１を通り、連絡領域Ｒにおいて規制部材３５の下方と弁体３３との間を通過して出口流路Ｃ２に至り流出管２２へと流れる液体の第３の流れＦ３とが発生している。
【００４１】
図１に示す透析装置１に接続された補液ポート１１では、上側キャップ２３が取り外されており、ハウジング２０のねじ部２０ｃに補液手段（図示しない）が接続されている。補液手段は、希釈回路１２を構成するパイプの先端に接続されるものであり、上側キャップ２３のピン２３ａに該当する例えば棒状部材が設けられたキャップを有している。この構成により、補液ポート１１では、規制部材３５のロッド３５ｈが補液手段によって押圧され、図８（ａ）に示すように、第１の流れＦ１及び第２の流れＦ２が発生している。これにより、補液ポート１１において、分岐流路Ｃ３内の迂回路Ｃ４を流れる液体（補液）が、希釈回路１２に液送される。
【００４２】
続いて、補液ポート１１の洗浄について説明する。図９は、補液ポートの洗浄工程を示す概略図である。図９に示すように、補液ポート１１の洗浄の際には、水の供給源に接続された水供給ラインＬ１と薬液ボトル３９に接続された薬液ラインＬ２とが補液ポート１１に接続され、水及び薬液（洗浄液）が補液ポート１１に供給される。補液ポート１１を通過した水及び薬液は、排液として排液ラインＬ３を通って排出される。具体的には、補液ポート１１の流入管２１には、水供給ラインＬ１及び薬液ラインＬ２が一つのラインに連結して接続され、流出管２２には、排液ラインＬ３が接続される。
【００４３】
洗浄時の際、補液ポート１１では、上側キャップ２３がねじ部２０ｃに螺着されたときと同じ状態となっている。すなわち、補液ポート１１では、第１の流れＦ１及び第２の流れＦ２が発生している。これにより、入口流路Ｃ１、出口流路Ｃ２、分岐流路Ｃ３及び連絡領域Ｒの全ての流路の洗浄が行われる。
【００４４】
以上説明したように、補液ポート１１では、入口流路Ｃ１と出口流路Ｃ２とを連絡する連絡領域Ｒの少なくも一部を仕切る規制部材３５によって、入口流路Ｃ１から出口流路Ｃ２に至る液体の少なくとも一部が分岐流路Ｃ３内を通る迂回路Ｃ４及びねじ部２０ｃの内周面にまでに導かれている。そのため、分岐流路Ｃ３に常に液体が送液されているため、分岐流路Ｃ３（迂回路Ｃ４及びねじ部２０ｃの内周面）に空気溜まりが発生しない。したがって、洗浄を行う際、洗浄液を各流路Ｃ１〜Ｃ３に行き届かせることができる。その結果、洗浄を良好に行うことができる。
【００４５】
また、従来のものでは、上側キャップの内側に流出路を設け、さらに流出管路と逆止弁とを設ける必要があり、加工工数、組立工数、部品点数の増加によりコストの増大を招来するといった問題があった。これに対して、本実施形態の補液ポート１１では、上側キャップ２３に流出路等も設けなくとも空気層の発生による洗浄の不具合が生じないため、コストの増大を防止することができる。
【００４６】
また、規制部材３５は、隔壁部３５ａと張出部３５ｂ，３５ｃとが直交するように設けられており、隔壁部３５ａと張出部３５ｂ，３５ｃとが上面視において十字状を呈している。このような構成より、弁体３３に対して均等に力を加えることができ、弁体３３の通常状態（撓んでいない状態）を良好に維持できる。
【００４７】
［第２実施形態］
続いて、第２実施形態に係る補液ポートについて説明する。図１０は、補液ポートを示す斜視図、図１１は、図１０に示す補液ポートの正面図、図１２は、図１１における縦断面図である。
【００４８】
各図に示すように、補液ポート５０は、ハウジング５１と、流入管２１と、流出管２２と、上側キャップ５２と、下側キャップ２４とを備えている。
【００４９】
ハウジング５１は、正面視において略凸形状を呈しており、内部に空間が形成された中空の部材である。ハウジング５１は、円筒状の本体部５３と、この本体部５３の上部に設けられ、上側キャップ５２が螺着されるねじ部５４ｃが形成された蓋部５４とから構成されている。本体部２０ａには、第１の内周面６０により内部空間Ｓ１、第２の内周面６１により内部空間Ｓ２が形成されている。
【００５０】
蓋部５４は、本体部５３の上部に形成された凹部５３ａに配置されており、凹部５３ａに収容される円形状の蓋部分５４ａと、蓋部分５４ａから上方に突出すると共にねじ部５４ｃが形成された突出部分５４ｂとから構成されている。蓋部５４は、その中心部分に高さ方向に沿って円柱状の貫通孔Ｈが形成されている。蓋部分５４ａの下部には、パッキンＰが埋設されている。パッキンＰは、円環状を呈しており、貫通孔Ｈを囲うように配置されている。パッキンＰは、蓋部５４が本体部５３に取り付けられた状態において本体部５３の凹部５３ａと内部空間Ｓ１とを跨ぐ位置に配置されており、蓋部５４（蓋部分５４ａ）の下面と略面一となっている。
【００５１】
ハウジング５１内には、規制部材５５が配置されている。規制部材５５は、弁体３３上に載置されており、上側キャップ５２がハウジング５１に螺着されているときに、弁体３３を押圧する。規制部材５５は、入口流路Ｃ１と出口流路Ｃ２とを連絡する連絡領域Ｒの少なくも一部を仕切り、入口流路Ｃ１から出口流路Ｃ２に至る液体の少なくとも一部を、分岐流路Ｃ３内を通る迂回路Ｃ４（後述する弁体部５５ｆの上方）及び貫通孔Ｈに導く部材である。規制部材５５は、分岐流路Ｃ３内で、分岐流路Ｃ３に沿って上下方向に移動可能である。
【００５２】
図１３は、規制部材を示す斜視図である。図１３に示すように、規制部材５５は、板状の隔壁部５５ａと、この隔壁部５５ａから放射状に張り出す板状の張出部５５ｂ〜５５ｅと、隔壁部５５ａの上部に設けられた弁体部５５ｆとを有している。張出部５５ｂ，５５ｃ及び張出部５５ｄ，５５ｅのそれぞれは、上面視においてＶ字状を呈している。
【００５３】
隔壁部５５ａは、入口流路Ｃ１から出口流路Ｃ２に至る液体を、分岐流路Ｃ３内を通る迂回路Ｃ４及び貫通孔Ｈに導く部分である。より具体的には、隔壁部５５ａは、入口流路Ｃ１を通過して連絡領域Ｒに入り込んだ液体の流れに干渉し、その液体の一部に上昇流を発生させて、液体を分岐流路Ｃ３内を通る迂回路Ｃ４（弁体部５５ｆの上方）及び貫通孔Ｈに導くと共に、連絡領域Ｒに入り込んだ液体の一部を出口流路Ｃ２に流す。隔壁部５５ａは、略長方形状を呈する板状部材である。図１０及び図１１に示すように、隔壁部５５ａの長辺の長さは、本体部５３の内径と略同等となっている。隔壁部５５ａの短辺の長さ（高さ）は、第１の内周面６０の高さよりも短くなっている。これにより隔壁部５５ａは、内部空間Ｓ１において上下方向に移動可能となっている。
【００５４】
隔壁部５５ａの両端側の下部には、切欠部５５ｇが形成されている。切欠部５５ｇは、隔壁部５５ａの角部分が三角形状に切り欠かれている。この切欠部５５ｇと本体部５３の第１の内周面６０及び弁体３３とによって画成される領域は、流入管２１から流入した液体の一部を流出管２２に流動させる部分であり、液体の第１の流れＦ１（図８参照）を発生させる。切欠部５５ｇは、規制部材５５によって液体に淀み（滞留）が発生することを防止する。
【００５５】
張出部５５ｂ〜５５ｅは、隔壁部５５ａの中央部から隔壁部５５ａの厚み方向の外側（面外方向）にそれぞれ延びるように張り出して設けられている。張出部５５ｂ〜５５ｅは、三角形状を呈しており、隔壁部５５ａから外側に向かうにつれて先細となっている。張出部５５ｂ〜５５ｅは、弁体３３とは接触しないように配置されている。張出部５５ｂ，５５ｃによって、液体に淀みが発生することをより効果的に防止している。
【００５６】
弁体部５５ｆは、規制部材５５の移動に伴って蓋部５４の下方の開口部５４ｄを開放または閉鎖する。すなわち、弁体部５５ｆの移動により、蓋部５４の上方の開口部５４ｅの開放または閉鎖が制御される。弁体部５５ｆは、円形状を呈しており、蓋部分５４ａに設けられたパッキンＰと当接して開口部５４ｄを閉鎖する。弁体部５５ｆには、その中央部から上方に突出するように延びるようにロッド５５ｈが設けられている。ロッド５５ｈは、棒状の部材であり、蓋部５４の貫通孔Ｈに内挿されて上側キャップ５２のピン５２ａと当接する部分である。ロッド５５ｈは、上面視において、板状の部材が三方向に互いに同じ角度（約６０°）を成して延在する形状を呈している。
【００５７】
次に、上述の構成を有する補液ポート５０の動きについて説明する。補液ポート５０では、上側キャップ５２がハウジング５１に装着されている場合には、上側キャップ５２のピン５２ａが規制部材５５のロッド５５ｈに当接して下方に押圧しており、その結果、規制部材５５は弁体３３を下方に押圧している。これにより、ばね３１の付勢によって弁体３３及び規制部材５５が上方に押し上げられる力が抑制され、弁体３３が定常状態、つまり弁体３３に撓みがない平坦な状態（撓みが解消された状態）が維持されている。
【００５８】
上側キャップ５２が装着された補液ポート５０では、液体が流入管２１から流入して入口流路Ｃ１を通り、連絡領域Ｒにおいて規制部材５５の切欠部５５ｇを通過して出口流路Ｃ２に至り流出管２２へと流れる第１の流れＦ１（図８参照）と、液体が流入管２１流入して入口流路Ｃ１を通り、連絡領域Ｒにおいて規制部材５５の隔壁部５５ａにより分岐流路Ｃ３内を通る迂回路Ｃ４及び貫通孔Ｈに導かれ、迂回路Ｃ４を経て出口流路Ｃ２に至り流出管２２への流れる第２の流れＦ２とが発生している。
【００５９】
また、上側キャップ５２がハウジング５１から取り外された状態において、規制部材５５は、ばね３１の弾性力により蓋部５４の開口部５４ｄを閉鎖し、また、ばね３１の弾性力による弁体３３の撓みを許容する。つまり、この状態では、規制部材５５のロッド５５ｈが下方に押圧されていないため、ばね３１の弾性力によりばね収容部３２を介して弁体３３が押し上げられ、これにより規制部材５５も上方に押し上げられて弁体部５５ｆが蓋部５４のパッキンＰに当接する。これにより、開口部５４ｄは弁体部５５ｆによって閉鎖される。そのため、分岐流路Ｃ３内の液体が開口部５４ｄから流出することがない。また、弁体３３がばね収容部３２の凸部３２ａに押し上げられることにより、弁体３３が撓み、規制部材５５の隔壁部５５ａの底面と弁体３３との間に隙間が形成される。
【００６０】
上側キャップ５２が取り外された補液ポート５０では、液体が流入管２１から流入して入口流路Ｃ１を通り、連絡領域Ｒにおいて規制部材５５の切欠部５５ｇを通過して出口流路Ｃ２に至り流出管２２へと流れる第１の流れＦ１と、流入管２１から流入して入口流路Ｃ１を通り、連絡領域Ｒにおいて規制部材５５の下方と弁体３３との間を通過して出口流路Ｃ２に至り流出管２２へと流れる液体の第３の流れＦ３とが発生している。
【００６１】
以上説明したように、補液ポート５０では、入口流路Ｃ１と出口流路Ｃ２とを連絡する連絡領域Ｒの少なくも一部を仕切る規制部材５５によって、入口流路Ｃ１から出口流路Ｃ２に至る液体の少なくとも一部が分岐流路Ｃ３内を通る迂回路Ｃ４及び貫通孔Ｈに導かれている。そのため、上側キャップ５２が装着された状態においては、分岐流路Ｃ３内を通る迂回路Ｃ４及び貫通孔Ｈに常に液体が送液されているため、分岐流路Ｃ３内を通る迂回路Ｃ４及び貫通孔Ｈに空気溜まりが発生しない。したがって、洗浄を行う際、洗浄液を各流路Ｃ１〜Ｃ３及び貫通孔Ｈに行き届かせることができる。その結果、洗浄を良好に行うことができる。
【００６２】
［第３実施形態］
次に、本発明に係る三方流路ポートをサンプリングポートに適用する場合について説明する。図１４は、第３実施形態に係るサンプリングポートを含んで構成された透析装置の概略を示す図である。なお、図１４に示すサンプリングポート１１Ａは、上述の補液ポート１１と同様の構成を有している。なお、以下の説明においては、補液ポート１１を例示して説明するが、サンプリングポート１１Ａは、補液ポート５０と同様の構成を有していてもよい。
【００６３】
図１４に示すように、サンプリングポート１１Ａは、透析装置１Ａにおいて、補液（透析液）の状態を検査するために、補液の一部を抽出するために設けられている。この透析装置１Ａにおいて透析液のサンプリングを行う場合には、まずサンプリングポート１１Ａの上側キャップ２３が取り外される。そして、サンプリング手段である例えばシリンジが補液ポート１１に接続される。
【００６４】
具体的には、シリンジの先端部がサンプリングポート１１Ａの開口部２０ｄに挿入されて接続される。シリンジが開口部２０ｄに接続された際、シリンジの先端部が規制部材３５のロッド３５ｈを押圧する。そのため、サンプリングが行われているときには、図８（ａ）に示す状態と同様の状態となっている。すなわち、液体が流入管２１から流入して入口流路Ｃ１を通り、連絡領域Ｒにおいて規制部材３５の切欠部３５ｅを通過して出口流路Ｃ２に至り流出管２２へと流れる第１の流れＦ１と、液体が流入管２１に流入して入口流路Ｃ１を通り、連絡領域Ｒにおいて規制部材３５の隔壁部３５ａにより分岐流路Ｃ３内を通る迂回路Ｃ４及びねじ部２０ｃの内周面に導かれ、迂回路Ｃ４を経て出口流路Ｃ２に至り流出管２２への流れる第２の流れＦ２とが発生している。この第２の流れＦ２により、サンプリング対象となる補液（透析液）がシリンジに送流される。
【００６５】
サンプルの抽出が終了した後、シリンジがサンプリングポート１１Ａから取り外されると、ばね３１の弾性力により弁体３３が押し上げられ、これにより規制部材３５も上方に押し上げられて弁体部３５ｆが小径部２０ｂの上面に当接する。これにより、開口部２０ｄが弁体部３５ｆによって閉口される。その後、上側キャップ２３が取り付けられる。
【００６６】
上記のサンプリングポート１１Ａは、第１実施形態の補液ポート１１と使用形態が異なるだけであり、その構成は補液ポート１１と同様である。したがって、サンプリングポート１１Ａにおいても、補液ポート１１と同様に、洗浄を良好に行うことができる。
【００６７】
本発明は、上記実施形態に限定されるものではない。例えば、規制部材３５は、図１５及び図１６に示すような構成であってもよい。図１５に示すように、規制部材３５Ａは、張出部４０ａ，４０ｂを備える点で規制部材３５と異なっており、その他の構成は、規制部材３５と同様となっている。具体的には、張出部４０ａ，４０ｂは、張出部３５ｂ，３５ｃに比べて、隔壁部３５ａから外側に延びる長さ寸法が短くなっている。すなわち、張出部４０ａ，４０ｂは、横からみた場合に三角形状を呈しており、ハウジング２０内に配置された際、その先端が本体部２０ａの第１の内周面２５にまで到達しない長さとなっている。
【００６８】
このような構成により、液体が連絡領域Ｒに進入した際、液体と張出部４０ａ，４０ｂとの干渉が少なくなるため、液体の淀みを抑制することができる。これにより、良好な液流を確保することができる。
【００６９】
また、図１６に示すように、規制部材３５Ｂは、張出部４１ａ，４１ｂを備える点で規制部材３５と異なっており、その他の構成は、規制部材３５と同様となっている。具体的には、張出部４１ａ，４１ｂは、横からみた場合に三角形状を呈しており、傾斜面４２が形成されている。傾斜面４２は、隔壁部３５ａの長辺方向に延在しており、長方形状を呈している。傾斜面４２は、規制部材３５Ｂがハウジング２０内に配置されたときに、液体の流入方向に対して分岐流路Ｃ３側に傾斜している。
【００７０】
このような構成により、流入管２１から流入した液体は、張出部４１ａ，４１ｂの傾斜面４２によって分岐流路Ｃ３側に向かう上昇流となり、分岐流路Ｃ３内の迂回路Ｃ４により良好に導入される。そのため、洗浄時において洗浄液（薬液）を分岐流路Ｃ３内の迂回路Ｃ４に良好に流すことができる。
【００７１】
また、第１実施形態では、規制部材３５に張出部３５ｂ，３５ｃを設けているが、張出部３５ｂ，３５ｃを設けない構成としてもよい。この場合には、隔壁部３５ａに円形状の底部を設ける構成とすることができる。これにより、規制部材３５における液体の滞留を防止することができると共に、弁体３３を全面に亘って均等に押さえることが可能となる。
【００７２】
また、上記実施形態では、規制部材３５，５５の隔壁部３５ａ，５５ａに切欠部３５ｅ，５５ｇを設けているが、切欠部３５ｅ，５５ｇを設けない構成とすることもできる。例えば、隔壁部３５ａの長辺方向の長さを、本体部２０ａの内径よりも小さい寸法としてもよい。この場合であっても、流入管２１から流入した液体の一部が分岐流路Ｃ３の迂回路Ｃ４に導入されずに流出管２２側に流出するため、規制部材３５において液体の淀み（滞留）の発生を防止することができる。要は、流入管２１から流入した液体の一部が分岐流路の迂回路に導入されずに流出管２２側に流出する第１の流れＦ１が発生する構成であればよい。
【００７３】
また、第１及び第２実施形態では、補液ポート１１をダイアライザー３と静脈側エアトラップチャンバ８との間に接続して後希釈となる構成としているが、補液ポート１１をダイアライザー３と動脈側エアトラップチャンバ７との間に接続する前希釈の構成としてもよい。
【００７４】
また、上記実施形態では、流入管２１及び流出管２２をハウジング２０（ハウジング５１）の本体部２０ａ（本体部５３）と一体成型しているが、流入管２１及び流出管２２を別個に準備して、この流入管２１及び流出管２２を本体部２０ａに螺着させる等の手段によって取り付ける構成であってもよい。
【符号の説明】
【００７５】
１，１Ａ…透析装置、１１、５０…補液ポート、１１Ａ…サンプリングポート、２３…キャップ、２３ａ，５２ａ…ピン（押圧部）、３３…弁体、３５，３５Ａ，３５ｂ、５５…規制部材、３５ａ，５５ａ…隔壁部、３５ｂ，３５ｃ，４０ａ，４０ｂ，４１ａ，４１ｂ、５５ｂ〜５５ｅ…張出部、３５ｅ，５５ｇ…切欠部、３５ｆ、５５ｆ…弁体部、Ｃ１…入口流路、Ｃ２…出口流路、Ｃ３…分岐流路、Ｃ４…迂回路、Ｒ…連絡領域。
【図１】
2012205683.tif 000003
【図２】
2012205683.tif 000004
【図３】
2012205683.tif 000005
【図４】
2012205683.tif 000006
【図５】
2012205683.tif 000007
【図６】
2012205683.tif 000008
【図７】
2012205683.tif 000009
【図８】
2012205683.tif 000010
【図９】
2012205683.tif 000011
【図１０】
2012205683.tif 000012
【図１１】
2012205683.tif 000013
【図１２】
2012205683.tif 000014
【図１３】
2012205683.tif 000015
【図１４】
2012205683.tif 000016
【図１５】
2012205683.tif 000017
【図１６】
2012205683.tif 000018